(57)【要約】      （修正有）【課題】ラケットを握りしめたときに安定感を与えて密着力及び打撃力を向上させ、フォアハンドからバックハンドへの切り替え、若しくは、バックハンドからフォアハンドへの切り替えの際に手首を捻じらなくても済み、初心者にとっても使用し易く、技術を習得し易く、手首に無理な負担がかかることを防ぐことができる卓球ラケットを提供する。【解決手段】卓球ラケットは、ラケットヘッドの中心軸線から一側方向に傾くように結合されたグリップを備え、ラケットを握りしめた状態で親指がラケットヘッド１１と連結される外側部を支え、人指し指がラケットヘッドに向かって伸ばされてラケットヘッドの中心軸線と一致するようにラケットヘッドの背面を支持し、中指、薬指及び小指がグリップの外面を包み込んでしっかり掴み取る。【選択図】図１
0003221748.tif 000002
【実用新案登録請求の範囲】
【請求項１】
ラケットヘッドと、
握りしめたときに親指が前記ラケットヘッドと連結される外側部を支え、人指し指が伸ばされた状態で前記ラケットヘッドの背面を支持し、中指、薬指及び小指によって包み込まれるように前記ラケットヘッドの中心部から延びるが、握りしめた状態で前記人指し指が前記ラケットヘッドの中心点と一致するように前記ラケットヘッドの中心軸線を基準として一側方向に傾いたグリップと、
を備えることを特徴とする卓球ラケット。
【請求項２】
前記グリップは、
前記ラケットヘッドから延びるが、前記ラケットヘッドを中心として第１の角度で傾いた繋がり部と、
前記繋がり部から延びるが、前記ラケットヘッドを中心として第１の角度よりも大きな第２の角度で傾いたグリップ部と、
を備えることを特徴とする請求項１に記載の卓球ラケット。
【請求項３】
握りしめたときに手のひらの母指球が密着される前記繋がり部の外側部には、前記繋がり部が傾く方向とは反対の方向に突出した密着突部が形成されたことを特徴とする請求項１に記載の卓球ラケット。
【請求項４】
握りしめたときに前記中指、前記薬指及び前記小指が密着される前記グリップ部の外側部には、前記グリップ部が傾く方向に突出して前記中指と前記薬指との間、前記薬指と前記小指との間に挟持される挟持突部が形成されたことを特徴とする請求項１に記載の卓球ラケット。
【請求項５】
前記グリップ部は、終端部から内側に向かって延びた嵌合溝が形成されており、前記嵌合溝に嵌まり込んで前記グリップの長さを伸ばす延在部を更に備えることを特徴とする請求項１に記載の卓球ラケット。
【考案の詳細な説明】
【技術分野】
【０００１】
本考案は、卓球ラケットに係り、更に詳しくは、ラケットを握りしめた状態で親指がラケットヘッドと連結される外側部を支え、人指し指が前記ラケットヘッドに向かって伸ばされて前記ラケットヘッドの背面を支持し、中指、薬指及び小指が包み込むように前記ラケットヘッドから延びるが、前記人指し指が前記ラケットヘッドの中心軸線と一致するように前記ラケットヘッドの中心軸線から一側方向に傾くように結合されたグリップを提供することにより、握りしめたときに安定感を与えてより安定的な打球を提供する卓球ラケットに関する。
【背景技術】
【０００２】
一般に、卓球ラケットは、片面又は両面にラバーが貼り付けられてボールが打撃されるラケットヘッドと、前記ラケットヘッドから延びるグリップと、を備える。この種の卓球ラケットは、握り方に応じて、ペンホルダー型（ｐｅｎ−ｈｏｌｄｅｒ）（ラケットヘッドの片面にラバーが貼り付けられた構造）と、シェークハンドタイプの（ラケットヘッドの両面にラバーが貼り付けられた構造）と、に大別できる。
【０００３】
ペンホルダータイプの握り方は、親指及び人指し指でラケットの前面を押し付け、中指及び薬指でラケットの裏面を支えてペンを持つようにラケットのグリップを握る方式であり、短いボールの処理に向いているだけではなく、打球方向の調節が行えるとともにきめ細かい技術を発揮することができ、フォアハンド攻撃に有利であるメリットがあるのに対し、片面しか使わないためバックハンド範囲が狭くて使い勝手が悪く、左右の守備の範囲が狭いため相対的に運動量が多いという問題があった。
【０００４】
シェークハンドタイプの握り方は、握手するようにラケットのグリップを握る方式であり、卓球ボールのカット打法に有利であり、ラケットの両面を使うため体力の消耗が少なく、バックハンド打法に有利であるというメリットがあるのに対し、体の中央部とネット手前の短いボールを処理し難く、相対的にフォアハンドに弱いという欠点がある。特に、フォアハンド及びバックハンドの姿勢で打球をするとき、卓球ボールにスピンが十分にかからないためドライブ威力が減少するという問題があった。
【０００５】
また、従来の技術による卓球ラケットは、グリップが打球部から水平に延びた構造を有するため、シェークハンドタイプの握り方でグリップを握った状態で卓球ボールを打球するとき、手首を下側に折って使うことを余儀なくされるため、打球の際に打球角度を安定的に合わせることが不自然であり、卓球にある程度慣れている人もまた、練習し続けなければ打球角度が捻じれ続けて安定的に打球することができないという問題があった。
【０００６】
このような問題を解消するために、大韓民国登録実用新案第２０−０４２８２３８号（登録日：２００６年９月２９日）には、グリップがラケット胴体の片側に偏って反対方向に傾いた構造を有する卓球ラケットが開示されているが、大韓民国登録実用新案第２０−０４２８２３８号に記載のものは、グリップがラケット胴体の中心ではなく、側部から延びた構造を有するため、グリップを握ったときにラケット胴体を安定的に支持し難く、ラケット胴体の中心点、すなわち、ボールポイント（ｂａｌｌ ｐｏｉｎｔ）と水平線上に一致しないため正確な打球を行い難いという問題があった。
【０００７】
また、大韓民国公開実用新案第２０−２０１０−０００５８０５号（公開日：２０１０年６月７日）には、グリップがラケットヘッドの中心部から所定の角度で傾くように結合された卓球ラケットが開示されているが、大韓民国公開実用新案第２０−２０１０−０００５８０５号は、グリップがラケットヘッドから均一な角度で傾くように結合されることにより、卓球ボールを打球するときに依然として手首を下側に折って使うことを余儀なくされるため、打球の際に打球角度を安定的に合わせることが不自然であり、その結果、打球角度がねじれ続けて安定的な打球を行い難いという問題があった。
【先行技術文献】
【特許文献】
【０００８】
【特許文献１】大韓民国登録実用新案第２０−０４２８２３８号（登録日：２００６年９月２９日）
【特許文献２】大韓民国公開実用新案第２０−２０１０−０００５８０５号（公開日：２０１０年６月７日）
【考案の概要】
【考案が解決しようとする課題】
【０００９】
したがって、本考案は、従来の技術の問題を解消するために提案されたものであり、既存のシェークハンドタイプの握り方とは全く異なる新たな握り方を提供しながら、より安定的な密着力（握りしめ力）及び打撃力を提供することのできる卓球ラケットを提供するところにその目的がある。
【課題を解決するための手段】
【００１０】
上述した目的を達成するための一局面による本考案は、ラケットヘッドと、握りしめたときに親指が前記ラケットヘッドと連結される外側部を支え、人指し指が伸ばされた状態で前記ラケットヘッドの背面を支持し、中指、薬指及び小指によって包み込まれるように前記ラケットヘッドの中心部から延びるが、握りしめた状態で前記人指し指が前記ラケットヘッドの中心点と一致するように前記ラケットヘッドの中心軸線を基準として一側方向に傾いたグリップと、を備えることを特徴とする卓球ラケットを提供する。
【００１１】
好ましくは、前記グリップは、前記ラケットヘッドから延びるが、前記ラケットヘッドを中心として第１の角度で傾いた繋がり部と、前記繋がり部から延びるが、前記ラケットヘッドを中心として第１の角度よりも大きな第２の角度で傾いたグリップ部と、を備えることを特徴としてもよい。
【００１２】
好ましくは、握りしめたときに手のひらの母指球が密着される前記繋がり部の外側部には、前記繋がり部が傾く方向とは反対の方向に突出した密着突部が形成されたことを特徴としてもよい。
【００１３】
好ましくは、握りしめたときに前記中指、前記薬指及び前記小指が密着される前記グリップ部の外側部には、前記グリップ部が傾く方向に突出して前記中指と前記薬指との間、前記薬指と前記小指との間に挟持される挟持突部が形成されたことを特徴としてもよい。
【００１４】
好ましくは、前記グリップ部は、終端部から内側に向かって延びた嵌合溝が形成されており、前記嵌合溝に嵌まり込んで前記グリップの長さを伸ばす延在部を更に備えることを特徴としてもよい。
【考案の効果】
【００１５】
以上述べたように、本考案によれば、ラケットを握りしめた状態で親指がラケットヘッドと連結される外側部を支え、人指し指が前記ラケットヘッドに向かって伸ばされて前記ラケットヘッドの背面を支持し、中指、薬指及び小指が外面を包み込んでしっかり掴み取るようにするが、前記人指し指が前記ラケットヘッドの中心軸線と一致するように前記ラケットヘッドの中心軸線から一側方向に傾くように結合されたグリップを備える卓球ラケットを提供することにより、ラケットを握りしめたときに安定感を与えて密着力及び打撃力を向上させる一方、卓球ラケットと手とが略一直線上に一致することにより、フォアハンド動作からバックハンド動作への切り替えの際に、若しくは、バックハンド動作からフォアハンド動作への切り替えの際に手首を捻じらなくても済むので、初心者にとっても使用し易く、しかも、技術を習得し易く、従来の技術によるシェークハンドタイプのラケットの問題点として指摘されてきた問題、つまり、動作の切り替えの際に手首に無理な負担がかかってしまうという問題を防ぐことができる。
【図面の簡単な説明】
【００１６】
【図１】本考案の実施形態１に係る卓球ラケットを示す斜視図。
【図２】図１に示す卓球ラケットの正面図。
【図３】図１に示すＡ−Ａ´線に沿って切り取った断面図。
【図４】本考案の実施形態１に係る卓球ラケットを握りしめた状態を説明するために示す図。
【図５】本考案の実施形態１に係る卓球ラケットを握りしめた状態を説明するために示す図。
【図６】図５に示す左利きの人による握りしめ状態を左側から眺めた側面図。
【図７】本考案の実施形態２に係る卓球ラケットを説明するために示す正面図。
【図８】本考案の実施形態３に係る卓球ラケットを説明するために示す正面図である。
【図９】本考案の実施形態４に係る卓球ラケットを説明するために示す正面図である。
【考案を実施するための形態】
【００１７】
本考案は、ラケットヘッドと、握りしめたときに親指が前記ラケットヘッドと連結される外側部を支え、人指し指が伸ばされた状態で前記ラケットヘッドの背面を支持し、中指、薬指及び小指によって包み込まれるように前記ラケットヘッドの中心部から延びるが、握りしめた状態で前記人指し指が前記ラケットヘッドの中心点と一致するように前記ラケットヘッドの中心軸線を基準として一側方向に傾いたグリップと、を備える卓球ラケットを提供しようとするものである。
【００１８】
本考案の利点及び特徴、並びにこれらを達成する方法は、添付図面と結び付けて詳細に後述する実施形態を参照すればなお一層明らかになる。しかしながら、本考案は、以下に開示される実施形態に何ら限定されるものではなく、異なる種々の形態で実現される筈である。
【００１９】
本明細書における本実施形態は、本考案の開示を完全たるものにし、且つ、本考案が属する技術分野において通常の知識を有する者に考案の範囲を完全に知らせるために提供されるものである。なお、本考案は、単に請求項の範囲によって定義される。よって、いくつかの実施形態における周知の構成要素、周知の動作及び周知の技術は、本考案が曖昧に解釈されることを避けるために具体的に説明されない。
【００２０】
また、明細書の全体に亘って同じ参照符号は、同じ構成要素を指し示す。更に、本明細書において使われた（言及された）用語は、実施形態を説明するためのものに過ぎず、本考案を制限しようとするものではない。本明細書において、単数形は、特に断りのない限り、複数形をも含む。なお、「備える（又は、含む）」と言及された構成要素及び動作は、一つ以上の他の構成要素及び動作の存在又は追加を排除しない。
【００２１】
別途に断りのない限り、本明細書において使われる全ての用語（技術及び科学的な用語を含む）は、本考案が属する技術分野において通常の知識を有する者に共通的に理解可能な意味として使用可能である。なお、一般的に使われる辞書に定義されている用語は、定義されていない限り、理想的に又は過度に解釈されない。
【００２２】
以下、添付図面に基づいて、本考案の技術的な特徴について詳細に説明する。
【００２３】
実施形態１
図１は、本考案の実施形態１に係る卓球ラケットを示す斜視図であり、図２は、図１に示す卓球ラケットの正面図であり、図３は、図１に示すＡ−Ａ´線に沿って切り取った断面図である。
【００２４】
図１から図３を参照すると、本考案の実施形態１に係る卓球ラケット１０は、ラケットヘッド１１と、ラケットヘッド１１から延びてラケットを握りしめるように配設されるグリップ１２と、を備える。
【００２５】
ラケットヘッド１１は、図３に示すように、木材又は薄い木板を積層して製造した板材からなる本体１１１と、本体１１１の両面に貼り付けられたラバー１１２、１１３と、を備える。
【００２６】
ラバー１１２、１１３は、それぞれゴム層１１２ａ、１１３ａ及びスポンジ層１１２ｂ、１１３ｂが積層された積層構造を有してもよい。このとき、スポンジ層１１２ｂ、１１３ｂは、ゴム層１１２ａ、１１３ａ間の付着力及び弾性力を向上させるために付着面に凹凸又はエンボシングが形成されてもよい。
【００２７】
図４及び図５は、本考案の実施形態１に係る卓球ラケットを握りしめた状態を説明するために示す図であり、図４は、左利きの人がグリップを握りしめた状態であり、図５は、左利きの人がグリップを握りしめた状態を示す図である。図６は、図５に示す左利きの人がグリップを握りしめた状態を左側から眺めた側面図である。
【００２８】
図３から図６に示すように、グリップ１２は、ラケットを握りしめたときに親指１ａがラケットヘッド１１と連結される外側部を支え、人指し指１ｂがラケットヘッド１１に向かって伸ばされてラケットヘッド１１の背面を支持し、中指１ｂ、薬指１ｃ及び小指１ｄによって包み込まれるようにラケットヘッド１１から延びる。このとき、グリップ１２は、図２及び図４に示すように、握りしめた状態で人指し指１ｂがラケットヘッド１１の中心点（ボールポイント）ＢＰ、すなわち、ラケットヘッド１１の中心軸線ｃと一致するようにラケットヘッド１１の中心軸線ｃを基準として一側に向かって傾く。
【００２９】
このようなグリップ１２は、図２に示すように、ラケットヘッド１１、好ましくは、ラケットヘッド１１の本体１１１の中心部から延びるが、ラケットヘッド１１の中心軸線ｃと水平な第１の軸線ａを中心として第１の角度θ１で傾いた繋がり部１２ａと、繋がり部１２ａから延びるがラケットヘッド１１の中心軸線ｃと水平な第２の軸線ｂを中心として第１の角度θ１よりも大きな第２の角度θ２で傾いたグリップ部１２ｂと、を備える。このとき、繋がり部１２ａ及びグリップ部１２ｂは、本体１１１と同じ材質によって一体に形成されてもよい。
【００３０】
例えば、卓球ラケット１０を握りしめたときに人指し指１ａがラケットヘッド１１の中心軸線ｃと一致するように、第１の角度θ１は、ラケットヘッド１１の中心軸線ｃと水平な第１の軸線ａを基準として３０°〜５０°の角度で傾き、第２の角度θ２は、ラケットヘッド１１の中心軸線ｃと水平な第２の軸線ｂを基準として５０°〜８０°の角度で傾くように設計する。
【００３１】
このような構成を有する本考案の実施形態１に係る卓球ラケット１０は、既存のシェークハンドタイプ（ｓｈａｋｅ−ｈａｎｄ ｔｙｐｅ）の握り方と同様に、握手するようにラケットを握りしめるが、シェークハンドタイプの握り方とは異なり、親指１ａは繋がり部１２ａの外側部を支え、人指し指１ｂはラケットヘッド１１に向かって伸ばされてラケットヘッド１１の背面を支持し、中指１ｂ、薬指１ｃ及び小指１ｄが繋がり部１２ａ及びグリップ部１２ｂをしっかり掴み取ることができる。
【００３２】
このとき、繋がり部１２ａは、図５に示すように、外側部（傾く方向とは反対の方向の外側部）が手のひらの母指球１ｆの内側に支持され、グリップ部１２ｂは繋がり部１２ａから感情線又は知能線に向かって傾くが、終端部が小指球１ｇの内側に位置することにより、なお一層安定的にグリップ１２を握りしめることができて安定的な打球を行うことができる。
【００３３】
参考までに、手を真っ直ぐ伸ばして手のひら及び手の甲で卓球ボールを打つ場合、最も安定的に卓球ボールを打球することができるが、本考案の実施形態１に係る卓球ラケット１０は、ラケットを握りしめたときに人指し指１ａがラケットヘッド１１の背面を支持した状態で中心軸線ｃ、すなわち、ボールポイントＢＰと一致するようにグリップ１２をラケットヘッド１１の中心部から一側方向に傾くように形成することにより、卓球ラケット１０を握りしめた状態で卓球ラケット１０及び手１が略一直線上に一致してまるで手のひら及び手の甲で卓球ボールを打つような効果が得られる。これにより、卓球ボールを様々な角度で打撃するとき、従来の技術による卓球ラケットに比べて、ラケットヘッド１１の中心点ＢＰに正確に卓球ボールを打球することができる。
【００３４】
また、本考案の実施形態１に係る卓球ラケット１０は、ラケットを握りしめた状態で人指し指１ａがラケットヘッド１１の背面を支持した状態で中心軸線ｃと一致して卓球ラケット１０及び手１が略一直線上に一致することにより、フォアハンド動作からバックハンド動作への切り替えの際に、若しくは、バックハンド動作からフォアハンド動作への切り替えの際に手首を捻じらなくても済むので、初心者にとっても使用し易く、しかも、技術を習得し易く、従来の技術によるシェークハンドタイプのラケットの問題点として指摘されてきた問題、つまり、動作の切り替えの際に手首に無理な負担がかかってしまうという問題を解消することができる。
【００３５】
実施形態２
図７は、本考案の実施形態２に係る卓球ラケットを説明するために示す正面図である。
図７を参照すると、本考案の実施形態２に係る卓球ラケット２０は、実施形態１に係る卓球ラケット１０と同様に、ラケットヘッド２１と、グリップ２２と、を備えるが、グリップ２２は、繋がり部２２ａ及びグリップ部２２ｂに加えて、繋がり部２２ａの外側部（グリップ２２が傾く方向とは反対の方向の外側部）から突出した密着突部２２ｃを更に備える。
卓球ラケット２０を握りしめたときに、密着突部２２ｃは手のひらの母指球１ｆ（図５参照）に密着されてグリップ２２と手のひらとの間の密着力を向上させ、これにより、使用中に手に汗が溜まったりする場合、卓球ラケット３０が手から滑り落ちるという現象を防ぐことができる。
【００３６】
実施形態３
図８は、本考案の実施形態３に係る卓球ラケットを説明するために示す正面図である。
図８を参照すると、本考案の実施形態３に係る卓球ラケット３０は、実施形態１に係る卓球ラケット１０と同様に、ラケットヘッド３１と、グリップ３２と、を備えるが、グリップ３２は、繋がり部３２ａ及びグリップ部３２ｂに加えて、グリップ部３２ａの外側部（グリップ３２が傾く方向と同じ方向の外側部）から突出した挟持突部３２ｃ、３２ｄを更に備える。
【００３７】
卓球ラケット２０を握りしめたとき、挟持突部３２ｃ、３２ｄは、中指１ｃ（図５参照）と薬指１ｄ（図５参照）との間、薬指１ｄと小指１ｅ（図５参照）との間に挟まれて使用者が卓球ラケット２０をなお一層安定的に握りしめるように配設されることにより、使用中に手に汗が溜まったりする場合、卓球ラケット３０が手から滑り落ちるという現象を防ぐことができる。
【００３８】
実施形態４
図９は、本考案の実施形態４に係る卓球ラケットを説明するために示す正面図である。
図９を参照すると、本考案の実施形態４に係る卓球ラケット４０は、ラケットヘッド４１と、グリップ４２及び延在部４３を備える。グリップ４２は、繋がり部４２ａ及びグリップ部４２ｂを備え、グリップ部４２ｂには、終端部から内側に向かって延びた嵌合溝Ｇが形成されている。
【００３９】
延在部４３は、嵌合溝Ｇにしばり嵌めされてグリップ４２の長さを伸ばす。このために、延在部４３は、嵌合溝Ｇにはまり込む方向に次第に幅が狭くなるテーパ状を呈する。
使用者の手が大きい場合、延在部４３を嵌合溝Ｇに嵌め込んでグリップ４２の長さを伸ばして使うことができる。このとき、延在部４３は、内部に重量体（図示せず）が内蔵されてもよく、これにより、テニスラケット（ヘッドヘビー、ヘッドイーブン又はヘッドライト）のようにラケットの重心をラケットヘッド４１ではなく、グリップ４２側に移動させることができる。
【００４０】
参考までに、「ヘッドヘビー」とは、ラケットのヘッドがグリップの方よりも重いラケットを意味し、「ヘッドイーブン」とは、ヘッド及びグリップの重さが等しいラケットを意味し、「ヘッドライト」とは、ヘッドがグリップの方よりも軽いラケットを意味する。
一方、嵌合溝Ｇに延在部４３が嵌まり込まない場合には、嵌合溝Ｇは埋め立てられなければならないが、嵌合溝Ｇを埋め立てながらラケットの重心を調整するために重量体（図示せず）が嵌合してもよいが、このとき、前記重量体は、使用者の特性（スタイル）に合わせてラケットの重心を移動可能なようにして、使用者の様々なニーズに応えることができる。
【００４１】
以上述べたように、本考案の技術的思想は、好適な実施形態において具体的に記述されたが、上述した好適な実施形態は単にその説明のためのものに過ぎず、その制限のためのものではない。このように、この技術分野における通常の専門家であれば、本考案の技術思想の範囲内において本考案の実施形態の組み合わせを通じて様々な実施形態が採用可能であるということが理解できる筈である。
【産業上の利用可能性】
【００４２】
本考案は、ラケットを握りしめた状態で親指がラケットヘッドと連結される外側部を支え、人指し指が前記ラケットヘッドに向かって伸ばされて前記ラケットヘッドの背面を支持し、中指、薬指及び小指が包み込むように前記ラケットヘッドから延びるが、前記人指し指が前記ラケットヘッドの中心軸線と一致するように前記ラケットヘッドの中心軸線から一側方向に傾くように結合されたグリップを提供することにより、握りしめたときに安定感を与えてより安定的な打球を提供する卓球ラケットの分野に適用可能である。
【図１】
0003221748.tif 000003
【図２】
0003221748.tif 000004
【図３】
0003221748.tif 000005
【図４】
0003221748.tif 000006
【図５】
0003221748.tif 000007
【図６】
0003221748.tif 000008
【図７】
0003221748.tif 000009
【図８】
0003221748.tif 000010
【図９】
0003221748.tif 000011
【手続補正書】
【提出日】平成31年4月9日(2019.4.9)
【手続補正１】
【補正対象書類名】実用新案登録請求の範囲
【補正対象項目名】全文
【補正方法】変更
【補正の内容】
【実用新案登録請求の範囲】
【請求項１】
ラケットヘッドと、
握りしめたときに親指が前記ラケットヘッドと連結される外側部を支え、人指し指が伸ばされた状態で前記ラケットヘッドの背面を支持し、中指、薬指及び小指によって包み込まれるように前記ラケットヘッドの中心部から延びるが、握りしめた状態で前記人指し指が前記ラケットヘッドの中心点と一致するように前記ラケットヘッドの中心軸線を基準として一側方向に傾いたグリップと、
を備えることを特徴とする卓球ラケット。
【請求項２】
前記グリップは、
前記ラケットヘッドから延びるが、前記ラケットヘッドを中心として第１の角度で傾いた繋がり部と、
前記繋がり部から延びるが、前記ラケットヘッドを中心として第１の角度よりも大きな第２の角度で傾いたグリップ部と、
を備えることを特徴とする請求項１に記載の卓球ラケット。
【請求項３】
握りしめたときに手のひらの母指球が密着される前記繋がり部の外側部には、前記繋がり部が傾く方向とは反対の方向に突出した密着突部が形成されたことを特徴とする請求項２に記載の卓球ラケット。
【請求項４】
握りしめたときに前記中指、前記薬指及び前記小指が密着される前記グリップ部の外側部には、前記グリップ部が傾く方向に突出して前記中指と前記薬指との間、前記薬指と前記小指との間に挟持される挟持突部が形成されたことを特徴とする請求項２に記載の卓球ラケット。
【請求項５】
前記グリップ部は、終端部から内側に向かって延びた嵌合溝が形成されており、前記嵌合溝に嵌まり込んで前記グリップの長さを伸ばす延在部を更に備えることを特徴とする請求項２に記載の卓球ラケット。